(57)【特許請求の範囲】
【請求項１】
人体の頭部に装着されるヘッドセットであって、
外部機器と通信する通信部と、
前記通信部で受信した信号を音声として出力するスピーカと、
前記ヘッドセットが前記頭部に装着されているか否かを検知する検知部と、
振動を発生することで、前記人体に振動を与える振動発生部と、
前記通信部、前記スピーカ、前記検知部および前記振動発生部を支持する支持部と、
前記通信部が着信状態にあり、かつ、前記頭部に前記ヘッドセットが装着されていないことを前記検知部により検知した場合に、前記振動発生部を振動させる制御部と
を備え、
前記検知部は、前記ヘッドセットが前記頭部に装着された場合に、前記人体に接触せず前記人体を検知しないように前記支持部に設けられ、
前記制御部は、前記検知部が前記人体を検知している場合に、前記頭部に前記ヘッドセットが装着されていないと判断する
ヘッドセット。
【請求項２】
前記スピーカは、前記人体に接し、骨伝導により前記音声を前記人体に伝達する
請求項１に記載のヘッドセット。
【請求項３】
前記振動発生部は、可聴領域外の振動を発生する
請求項１または２に記載のヘッドセット。
【請求項４】
さらに、前記人体から発せられた音声を入力するマイクを備える
請求項１〜３のいずれか１項に記載のヘッドセット。
【請求項５】
請求項１〜４のいずれか１項に記載のヘッドセットと、前記ヘッドセットおよび外部機器の間の通信を中継する中継器と
を備えるヘッドセット装置。
【発明の詳細な説明】
【技術分野】
【０００１】
本開示は、人体の頭部に装着されるヘッドセット、および、このヘッドセットを含むヘッドセット装置に関する。
【背景技術】
【０００２】
特許文献１は、骨伝導スピーカを有する携帯電話装置を開示する。この携帯電話装置の使用者は、骨伝導スピーカを頬等に接触させることで、通信相手からの呼び出しを知り、通話を始めることができる。
【先行技術文献】
【特許文献】
【０００３】
【特許文献１】特開２００３−３１９０２２号公報
【発明の概要】
【発明が解決しようとする課題】
【０００４】
本開示は、通話の開始を円滑に行うことができるヘッドセット等を提供する。
【課題を解決するための手段】
【０００５】
本開示におけるヘッドセットは、人体の頭部に装着されるヘッドセットであって、外部機器と通信する通信部と、通信部で受信した信号を音声として出力するスピーカと、ヘッドセットが頭部に装着されているか否かを検知する検知部と、振動を発生することで、人体に振動を与える振動発生部と、通信部、スピーカ、検知部および振動発生部を支持する支持部と、通信部が着信状態にあり、かつ、頭部に前記ヘッドセットが装着されていないことを検知部により検知した場合に、振動発生部を振動させる制御部とを備える。検知部は、ヘッドセットが頭部に装着された場合に、人体に接触せず人体を検知しないように支持部に設けられ、制御部は、検知部が人体を検知している場合に、頭部にヘッドセットが装着されていないと判断する。
【発明の効果】
【０００６】
本開示のヘッドセットは、通話の開始を円滑に行うことができる。
【図面の簡単な説明】
【０００７】
【図１】実施の形態１におけるヘッドセットの斜視図
【図２】実施の形態１におけるヘッドセットの正面図
【図３】実施の形態１におけるヘッドセットの制御構成を示すブロック図
【図４】実施の形態１におけるヘッドセットが頭部に装着されている場合を示す側面図
【図５】実施の形態１におけるヘッドセットが頭部に装着されている場合を示す正面図
【図６】実施の形態１におけるヘッドセットが頭部に装着されていない場合を示す側面図
【図７】実施の形態１におけるヘッドセットの端部を拡大した斜視図
【図８】実施の形態１におけるヘッドセットの通話開始前の動作を示すフローチャート
【図９】実施の形態２におけるヘッドセットの斜視図
【図１０】実施の形態２におけるヘッドセットが頭部に装着されている場合を示す斜視図
【図１１】実施の形態２におけるヘッドセットが頭部に装着されていない場合を示す斜視図
【図１２】他の実施の形態におけるヘッドセット装置の一例を示す図
【発明を実施するための形態】
【０００８】
本開示におけるヘッドセットは、例えば、無線通信を使って遠隔地にいる相手と通話する場合に用いられる。このヘッドセットは、通常は、使用者の頭部に装着された状態で使用されるが、ヘッドセットを使用しない場合は、例えば、首に掛けるなどして頭部から外されることもある。その場合、相手が通話を始めようとして音声を発しても、使用者が相手の音声に気付かず、通話を始めることができない。本開示におけるヘッドセットは、通話の開始を円滑に行うため、以下に示す構成を備えている。
【０００９】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１０】
なお、当業者が本開示を十分に理解するために添付図面および以下の説明を提供するのであって、これらによって特許請求の範囲に記載の主題を限定することを意図するものではない。
【００１１】
（実施の形態１）
以下、図面を参照しつつ、実施の形態１を説明する。
【００１２】
［１−１．ヘッドセットの構成］
図１は、実施の形態１におけるヘッドセット１の斜視図であり、図２は正面図であり、図３は、ヘッドセット１の制御構成を示すブロック図である。図４は、ヘッドセット１が頭部Ｈに装着されている場合を示す側面図であり、図５は正面図である。図６は、ヘッドセット１が頭部Ｈに装着されていない場合を示す側面図である。
【００１３】
ヘッドセット１は、図１〜図３に示されるように、通信部１６と、一対のスピーカ１１と、一対の検知部１２と、振動発生部１３と、制御部１５と、支持部１４とを備えている。支持部１４は、Ｕ字状の形状をしており、互いに対向する両端部１４ｂと、両端部１４ｂの間に位置する中央部１４ａとを有している。なお、支持部１４の中央部１４ａとは、支持部１４をＵ字状の形状に沿ってみた場合の中央付近の部分をいう。一対のスピーカ１１は、互いに対向するように両端部１４ｂにそれぞれ支持されている。一対の検知部１２は、互いに対向するように両端部１４ｂにそれぞれ支持されている。通信部１６、振動発生部１３および制御部１５は、支持部１４の中央部１４ａに支持されている。また、支持部１４の一方の端部１４ｂには、マイク取付部１８を介してマイク１７が取り付けられている。なお、スピーカ１１および検知部１２は、一対に限られず、片方の端部１４ｂのみに設けられていてもよい。
【００１４】
通信部１６は、通信相手が所有する外部機器と無線で通信する。通信部１６は、例えば、アンテナおよび無線モジュールなどにより構成される。通信方式としては、例えば、４２２ＭＨｚ帯または４４０ＭＨｚ帯の周波数帯が用いられる。なお、外部機器との通信を中継する中継器（図示省略）を介して通信する場合は、通信部１６の通信方式としては、例えば、Bluetooth（登録商標）のような２．４ＧＨｚ帯の周波数帯が用いられる。通信部１６で受信した信号は、制御部１５にて増幅される。
【００１５】
スピーカ１１は、通信部１６で受信し、制御部１５にて増幅された信号を音声として出力する。スピーカ１１は、図４、５に示されるように、頭部Ｈにヘッドセット１が装着された場合に、耳Ｅの前方に位置する皮膚Ｈ１に接するように支持部１４に設けられる。スピーカ１１は、具体的には、金属製の振動板を有する骨伝導スピーカである。スピーカ１１による振動は、主に、耳前方の皮膚Ｈ１から人体Ｍの頭骨を経由して聴覚神経へ伝達される。ヘッドセット１の使用者は、骨伝導により通信相手の音声を認識することができる。
【００１６】
検知部１２は、ヘッドセット１が使用者の頭部Ｈに装着されているか否かを検知する。検知部１２としては、例えば、感圧センサ、温度センサ、静電容量式接触センサ、光学センサまたは機械的スイッチなどが用いられる。検知部１２は、頭部Ｈにヘッドセット１が装着された場合のみ、人体Ｍに接して、頭部Ｈに装着していることを検知するように設けられている。具体的には、検知部１２は、支持部１４の端部１４ｂであって、かつ、スピーカ１１の下側に設けられている。これにより、図４、５に示されるように、ヘッドセット１が装着された場合に、検知部１２は、耳前方の皮膚Ｈ１の下に位置する皮膚（人体Ｍ）に接し、頭部Ｈに装着していることを検知する。また、図６に示されるように、ヘッドセット１を首にかけている場合（頭部Ｈにヘッドセット１が装着されていない場合）に、ヘッドセット１は、人体Ｍに接しているが、検知部１２は、人体Ｍと接触せず、頭部Ｈに装着していることを検知しない。
【００１７】
検知部１２で検出された電気信号は制御部１５に送られる。制御部１５は、検知部１２で検出された信号を電圧に変換し、その電圧の大きさにより、検知部１２が人体Ｍを検知しているか否か（人体Ｍに接しているか否か）を判断する。
【００１８】
支持部１４は、主に樹脂材料により構成される。支持部１４の内部には、ワイヤなどの骨材や、配線（制御部１５、通信部１６、スピーカ１１、検知部１２および振動発生部１３などを接続する配線）が設けられている。支持部１４は、Ｕ字状の形状であり、支持部１４の中央部１４ａを首の後ろに当接させ、首に掛けることができる構造をしている。支持部１４の両端部１４ｂは、上下に延びた柱状の形状をしており、一対のスピーカ１１は両端部１４ｂの上側に、一対の検知部１２は両端部１４ｂの下側にそれぞれ設けられている。中央部１４ａは内部に空間を有し、その空間内に、通信部１６、振動発生部１３および制御部１５が設けられている。ヘッドセット１は、ほぼ左右対称（線対称）の形状をしている。
【００１９】
また、支持部１４は、弾性を有し、支持部１４の中央部１４ａ以外の部分は撓みやすくなっている。具体的には、支持部１４は、中央部１４ａ以外の部分を撓ませ、両端部１４ｂの対向距離を変えることができる構造をしている。支持部１４の弾性力は、ヘッドセット１を頭部Ｈに装着した場合に、スピーカ１１が耳前方の皮膚Ｈ１から離れないように、また、皮膚Ｈ１を圧迫しすぎないように調整されている。
【００２０】
なお、支持部１４は、ヘッドセット１を装着した場合に、両端部１４ｂから耳Ｅの下側を迂回し、頭部Ｈの後ろ側に位置する中央部１４ａまで延びるように形成されている。耳Ｅの下側を迂回させることで眼鏡をかけやすく、また、頭部Ｈの後ろ側に位置する中央部１４ａまで延びるように形成することでヘルメットや帽子を被りやすくしている。また、中央部１４ａと後頭部とは、互いに接触せずに間隔があいている。
【００２１】
振動発生部１３は、振動を発生することで、人体Ｍに振動を与える。この振動は、スピーカ１１が出力する音声との混同を抑制するため、可聴領域外の振動が用いられる。振動の周波数は、可聴領域より高くてもよいし、低くてもよい。振動発生部１３としては、例えば、回転軸に偏心おもりが取り付けられたモータ、または、圧電素子などが用いられる。
【００２２】
振動発生部１３は、図６に示されるように、ヘッドセット１を頭部Ｈから外して支持部１４を首に掛けた場合に、首の後ろに近接するように支持部１４に設けられる。振動発生部１３を首に近接させた状態で振動させると、振動が空気を介さずに直接的に人体Ｍに伝わり、ヘッドセット１の使用者はその振動に気付きやすくなる。
【００２３】
マイク１７は、人体Ｍ（使用者）から発せられた音声を入力する。マイク１７は、ヘッドセット１を使用する際に、マイク１７が使用者の口の前に位置するように配置される。マイク１７から入力された音声は、制御部１５にて電気信号に変換され、通信部１６に送られる。
【００２４】
制御部１５は、ＣＰＵ（central processing unit）、ＲＡＭ（Random Access Memory）およびＲＯＭ（read only memory）などにより構成される。制御部１５は、通信部１６で受信した信号を増幅してスピーカ１１に出力する。また、制御部１５は、マイク１７から入力された音声を電気信号に変換し、通信部１６を用いて外部機器に送信する。
【００２５】
本実施の形態におけるヘッドセット１の制御部１５は、通信部１６が着信状態にあるか否かを判断し、通信部１６が着信状態にあり、かつ、頭部Ｈにヘッドセット１が装着されていないことを検知部１２により検知した場合に、振動発生部１３を振動させる。この振動により、ヘッドセット１が装着されていないことを使用者に通知し、使用者にヘッドセット１の装着を促す。これにより、通話の開始が円滑に行われる。
【００２６】
ここで、スピーカ１１の形状と、スピーカ１１と検知部１２との位置関係についてさらに説明する。図７は、ヘッドセット１の端部１４ｂを拡大した斜視図である。
【００２７】
スピーカ１１は、図７に示されるように、円柱状の円柱部１１ｂと、円柱部１１ｂから支持部１４の中央部１４ａ側に突出する突出部１１ａとを有している。この突出部１１ａは、検知部１２よりも支持部１４の中央部１４ａ側に突出している。換言すれば、検知部１２は、突出部１１ａの突出端よりも端部１４ｂ側（中央部１４ａと反対側）に位置している。
【００２８】
スピーカ１１の一部が、検知部１２よりも中央部１４ａ側に突出しているので、例えば図６に示されるように、ヘッドセット１を頭部Ｈから外し、支持部１４を首にかけた状態で前後に動かした場合に、スピーカ１１が先に首に当たり、検知部１２が首に当たりにくくなっている。この構造により、ヘッドセット１が頭部Ｈから外されている場合に、振動発生部１３を振動させても、検知部１２が首などを検出することが抑制される。そのため、ヘッドセット１が頭部Ｈから外されている場合に、ヘッドセット１が装着されているという誤情報を与えることを抑制することができる。なお、スピーカ１１の円柱部１１ｂの直径を大きくし、スピーカ１１の一部を検知部１２よりも中央部１４ａ側に突出させるような構造としてもよい。
【００２９】
［１−２．ヘッドセットの動作］
以上のように構成されたヘッドセット１の通話開始前の動作を説明する。図８は、ヘッドセット１の通話開始前の動作を示すフローチャートである。
【００３０】
まず、制御部１５は、通話の開始にあたり、通信部１６が着信状態にあるか否かを判断する（Ｓ１１）。具体的には、通信部１６が外部機器から呼び出し信号を受信しているか否かを判断する。着信状態でない場合は（Ｓ１１のＮｏ）、次のステップに進まず待機する。
【００３１】
通信部１６が着信状態である場合は（Ｓ１１のＹｅｓ）、次のステップに進み、制御部１５は、検知部１２が人体Ｍを検知しているか否かを判断する（Ｓ１２）。検知部１２が人体Ｍを検知している場合は（Ｓ１２のＹｅｓ）、頭部Ｈにヘッドセット１が装着されているとみなし、通話を開始する（Ｓ１４）。
【００３２】
一方、検知部１２が人体Ｍを検知していない場合は（Ｓ１２のＮｏ）、頭部Ｈにヘッドセット１が装着されていないとみなし、振動発生部１３を振動させる（Ｓ１３）。この振動により、使用者にヘッドセット１の装着を促す。そして、振動に気付いた使用者はヘッドセット１を装着する。この装着により、検知部１２が人体Ｍを検知し（Ｓ１２のＹｅｓ）、通話が開始される（Ｓ１４）。
【００３３】
なお、制御部１５は、ヘッドセット１を装着している状態で着信があった場合に（ステップＳ１１のＹｅｓ）、振動発生部１３を振動させ、または、スピーカ１１から通知音を発して、通信相手から着信があったことを使用者に知らせてもよい。また、制御部１５は、ステップＳ１２のＮｏの場合において、使用者がヘッドセット１を装着していない状態であることを、通信部１６を用いて通信相手に知らせてもよい。
【００３４】
［１−３．効果等］
以上のように、本実施の形態において、人体Ｍの頭部Ｈに装着されるヘッドセット１は、外部機器と通信する通信部１６と、通信部１６で受信した信号を音声として出力するスピーカ１１と、ヘッドセット１が頭部Ｈに装着されているか否かを検知する検知部１２と、振動を発生することで、人体Ｍに振動を与える振動発生部１３と、通信部１６、スピーカ１１、検知部１２および振動発生部１３を支持する支持部１４と、通信部１６が着信状態にあり、かつ、頭部Ｈにヘッドセット１が装着されていないことを検知部１２により検知した場合に、振動発生部１３を振動させる制御部１５とを備えている。
【００３５】
これによれば、ヘッドセット１が装着されていないことを検知した場合に、振動発生部１３を振動させ、人体Ｍに振動を伝えることで、使用者にヘッドセット１の装着を促すことができる。そのため、使用者がヘッドセット１を装着していない場合であっても、ヘッドセット１を装着させ、通話の開始を円滑に行うことができる。
【００３６】
また、本実施の形態において、スピーカ１１は、人体Ｍに接し、骨伝導により音声を人体Ｍに伝達してもよい。
【００３７】
これによれば、騒音環境下において、通信相手の音声を認識しやすくなる。例えば、工事現場などで鼓膜を振動させるスピーカを用いる場合は、周辺の騒音に交じって相手の声が聞き取りにくくなるが、本実施の形態のように骨伝導により音を人体に伝達する場合は、相手の声が聞き取りやすくなる。
【００３８】
また、本実施の形態において、振動発生部１３は、可聴領域外の振動を発生してもよい。
【００３９】
これにより、振動発生部１３による振動と、音声または周囲環境音との区別がつきやすくなる。そのため、使用者が振動発生部１３の振動に気付きやすく、通話の開始を円滑に行うことができる。
【００４０】
また、本実施の形態において、検知部１２は、ヘッドセット１が頭部Ｈに装着された場合に、人体Ｍに接して人体Ｍを検知するように支持部１４に設けられ、制御部１５は、検知部１２が人体Ｍを検知していない場合に、頭部Ｈにヘッドセット１が装着されていないと判断してもよい。
【００４１】
このように、検知部１２からの検知情報により、頭部Ｈに対するヘッドセット１の装着の有無を的確に判断することができる。そのため、通話の開始を円滑に行うことができる。
【００４２】
また、本実施の形態において、支持部１４は、Ｕ字状で弾性を有し、振動発生部１３は、支持部１４の中央部１４ａに設けられ、検知部１２は、支持部１４の端部１４ｂに設けられていてもよい。
【００４３】
これにより、頭部Ｈにヘッドセット１を装着したくない場合には、例えば、Ｕ字状の支持部１４を首に掛け、頭部Ｈから外した状態とすることができるが、その場合であっても、振動発生部１３を振動させることで、首を介して振動を与え、着信があることを気付かせることができる。そのため、使用者が頭部Ｈにヘッドセット１を装着していなくても、振動により、着信があることを気付かせることができ、通話の開始を円滑に行うことができる。
【００４４】
また、本実施の形態において、スピーカ１１は、支持部１４の端部１４ｂに設けられ、スピーカ１１の一部は、検知部１２よりも支持部１４の中央部１４ａ側に突出していてもよい。
【００４５】
これによれば、例えば、ヘッドセット１を頭部Ｈから外し、ヘッドセット１の支持部１４を首にかけた状態で支持部１４を前後に動かした場合に、スピーカ１１が先に首に当たり、検知部１２が首に当たりにくくなる。そのため、ヘッドセット１が頭部Ｈから外されている場合に、振動発生部１３を振動させても、検知部１２が首などを検出することが抑制される。これにより、ヘッドセット１が頭部Ｈから外されている場合に、ヘッドセット１が装着されているという誤情報を与えることを抑制することができる。
【００４６】
（実施の形態２）
以下、図９〜１１を用いて、実施の形態２を説明する。
【００４７】
図９は、実施の形態２におけるヘッドセット１Ａの斜視図である。図１０は、ヘッドセット１Ａが頭部Ｈに装着されている場合を示す斜視図であり、図１１は、ヘッドセット１Ａが頭部Ｈに装着されていない場合を示す斜視図である。
【００４８】
ヘッドセット１Ａは、検知部２２が支持部１４の中央部１４ａに支持されている。すなわち、支持部１４の中央部１４ａには、検知部２２、通信部１６、振動発生部１３および制御部１５が設けられている。
【００４９】
図１０に示されるように、検知部２２は、ヘッドセット１Ａが頭部Ｈに装着された場合に、人体Ｍに接触せず人体Ｍを検知しないように支持部１４に設けられている。具体的には、検知部２２は、ヘッドセット１Ａが頭部Ｈに装着された場合に、後頭部と間隔をあけて配置され、人体Ｍを検知しない。一方、検知部２２は、図１１に示されるように、ヘッドセット１Ａが頭部Ｈから外され、支持部１４が首に掛けられた場合に、首の後ろの皮膚に接して人体Ｍを検知する。
【００５０】
制御部１５は、検知部２２が人体Ｍを検知している場合に、頭部Ｈにヘッドセット１Ａが装着されていないと判断する。そして、制御部１５は、通信部１６が着信状態にあり、かつ、頭部Ｈにヘッドセット１Ａが装着されていないことを検知部２２により検知した場合に、振動発生部１３を振動させる。この振動により、ヘッドセット１Ａが装着されていないことを使用者に通知し、使用者にヘッドセット１Ａの装着を促す。
【００５１】
以上のように、本実施の形態において、人体Ｍの頭部Ｈに装着されるヘッドセット１Ａは、外部機器と通信する通信部１６と、通信部１６で受信した信号を音声として出力するスピーカ１１と、ヘッドセット１Ａが頭部Ｈに装着されているか否かを検知する検知部２２と、振動を発生することで、人体Ｍに振動を与える振動発生部１３と、通信部１６、スピーカ１１、検知部２２および振動発生部１３を支持する支持部１４と、通信部１６が着信状態にあり、かつ、頭部Ｈにヘッドセット１Ａが装着されていないことを検知部２２により検知した場合に、振動発生部１３を振動させる制御部１５とを備えている。
【００５２】
これによれば、ヘッドセット１Ａが装着されていないことを検知した場合に、振動発生部１３を振動させ、人体Ｍに振動を伝えることで、使用者にヘッドセット１Ａの装着を促すことができる。そのため、使用者がヘッドセット１Ａを装着していない場合であっても、ヘッドセット１Ａを装着させ、通話の開始を円滑に行うことができる。
【００５３】
また、本実施の形態において、検知部２２は、ヘッドセット１Ａが頭部Ｈに装着された場合に、人体Ｍに接触せず人体Ｍを検知しないように支持部１４に設けられ、制御部１５は、検知部２２が人体を検知している場合に、頭部Ｈにヘッドセット１Ａが装着されていないと判断する。
【００５４】
このように、検知部２２からの検知情報により、頭部Ｈに対するヘッドセット１Ａの装着の有無を的確に判断することができる。そのため、通話の開始を円滑に行うことができる。
【００５５】
（他の実施の形態）
以上のように、本出願において開示する技術の例示として、実施の形態１、２を説明した。しかしながら、本開示における技術は、これに限定されず、適宜、変更、置き換え、付加、省略などを行った実施の形態にも適用可能である。また、上記実施の形態１、２で説明した各構成要素を組み合わせて、新たな実施の形態とすることも可能である。
【００５６】
そこで、以下、他の実施の形態を例示する。
【００５７】
実施の形態１および２では、ヘッドセット１、１Ａの通信部１６として、外部機器と直接通信する通信部１６を例示したが、ヘッドセット１、１Ａは、中継器を介して外部機器と通信する構成としてもよい。
【００５８】
図１２は、ヘッドセット１を含むヘッドセット装置２の一例を示す図である。
【００５９】
ヘッドセット装置２は、ヘッドセット１と、ヘッドセット１および外部機器５０の間の通信を中継する中継器２０とを備えている。中継器２０は、１つのヘッドセット１に対して１台設けられている。
【００６０】
外部機器５０は、例えば、親機トランシーバであり、通信部、スピーカ、マイク、操作部、表示部および制御部を備えている。
【００６１】
中継器２０は、使用者に所持され、通常は外部機器５０と離れた位置で使用される。中継器２０は、例えば、子機トランシーバであり、通信部、操作部および制御部を備えている。外部機器５０と中継器２０とは、例えば、４２２ＭＨｚ帯または４４０ＭＨｚ帯の周波数帯により無線通信する。
【００６２】
ヘッドセット１の通信部１６と中継器２０の通信部とは、例えば、Bluetooth（登録商標）のような２．４ＧＨｚ帯の周波数帯で通信する方式やＷｉＦｉ（登録商標）などにより無線通信する。
【００６３】
この実施の形態におけるヘッドセット装置２では、ヘッドセット１の通信部１６の無線モジュール構造を簡略化することができ、ヘッドセット１を軽量化することができる。
【００６４】
以上のように、本開示における技術の例示として、実施の形態を説明した。そのために、添付図面および詳細な説明を提供した。
【００６５】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００６６】
また、上述の実施の形態は、本開示における技術を例示するためのものであるから、特許請求の範囲またはその均等の範囲において種々の変更、置き換え、付加、省略などを行うことができる。
【００６７】
例えば、実施の形態１では、支持部１４の中央部１４ａに振動発生部１３、通信部１６および制御部１５を設けたが、それに限られず、中央部１４ａと端部１４ｂとの間に、振動発生部１３、通信部１６または制御部１５を設けてもよい。
【００６８】
また、実施の形態１では、ヘッドセット１を装着した場合に、支持部１４の中央部１４ａが頭部Ｈの後ろに配置される例を示したが、それに限られず、中央部１４ａが頭部Ｈの上に配置される構造であってもよい。
【００６９】
また、実施の形態１では、ヘッドセット１を装着した場合に、支持部１４が、耳Ｅの下側を迂回するように形成されている例を示したが、それに限られず、支持部１４を耳Ｅの上側に沿った形状とし、支持部１４を耳Ｅに掛ける構造としてもよい。
【００７０】
また、実施の形態１では、スピーカ１１は、骨伝導により音を伝達する例を説明したが、骨伝導のみに限られず、スピーカ１１の音が、外耳道の中へ放射されて鼓膜に伝わり、聴覚神経に伝達されてもよい。
【産業上の利用可能性】
【００７１】
本開示は、頭部に装着するヘッドセットに適用可能である。また、本開示は、ヘッドフォンまたはインカム（インターコミュニケーション）など、頭部に装着する音声出力器に適用可能である。
【符号の説明】
【００７２】
１、１Ａ  ヘッドセット
２      ヘッドセット装置
１１    スピーカ
１１ａ  突出部
１１ｂ  円柱部
１２、２２  検知部
１３    振動発生部
１４    支持部
１４ａ  中央部
１４ｂ  端部
１５    制御部
１６    通信部
１７    マイク
１８    マイク取付部
２０    中継器
５０    外部機器
Ｅ      耳
Ｈ      頭部
Ｈ１    耳前方の皮膚  
Ｍ      人体
【図１】
0006624386.tif 000002
【図２】
0006624386.tif 000003
【図３】
0006624386.tif 000004
【図４】
0006624386.tif 000005
【図５】
0006624386.tif 000006
【図６】
0006624386.tif 000007
【図７】
0006624386.tif 000008
【図８】
0006624386.tif 000009
【図９】
0006624386.tif 000010
【図１０】
0006624386.tif 000011
【図１１】
0006624386.tif 000012
【図１２】
0006624386.tif 000013